(57)【要約】【課題】  環境温度が変化したときに、部品間の熱膨張量の差に起因する熱応力によって接着剤がはく離したり、部品が反ったりするのを抑えて、安定した記録・再生動作を実現する光ピックアップを提供する。【解決手段】  アクチュエータホルダの側壁は、タンジェンシャル方向に並んだフォーカシング方向の両側から交互に設けられた切欠きを有し、切欠きは、対物レンズを挟んだタンジェンシャル方向の第一の軸受部側に配置された接着部と第二の軸受部側に配置された接着部との間に設けられており、切欠きのうち第一の軸受部側の切欠きはディスク側が開放した切欠きで、第二の軸受部側の切欠きは筐体側が開放した切欠きであって、切欠きの深さは、アクチュエータホルダのフォーカシング方向のディスク側の端辺から接着部までの距離よりも深い。【選択図】  図1
2014164790.tif 000002
【特許請求の範囲】
【請求項１】
半導体レーザから照射された出射光をディスクの記録面にある所定のトラック上に集光する対物レンズを、対物レンズの光軸方向であるフォーカシング方向とディスクの半径方向であるトラッキング方向に動かすための対物レンズアクチュエータを筐体に搭載し、
前記筐体は、ディスクの接線方向であるタンジェンシャル方向の両端に、筐体をトラッキング方向へ移動可能にするための第一と第二の軸受部を有し、
前記対物レンズアクチュエータは、前記対物レンズを保持する可動部と、前記可動部を複数のサスペンションワイヤを介して移動可能な状態で支持する固定部とを含み、前記固定部と一体に成形されて、前記可動部の四方を取り囲むように収容するアクチュエータホルダを有し、
前記アクチュエータホルダは、前記対物レンズを挟んだトラッキング方向の両側に側壁を有し、
前記アクチュエータホルダは、前記対物レンズを挟んだトラッキング方向の両側の、前記対物レンズに対してタンジェンシャル方向の第一の軸受部側と第二の軸受部側のそれぞれに接着部を有し、
前記アクチュエータホルダの線膨張係数が前記筐体の線膨張係数よりも大きい材料で構成された光ピックアップにおいて、
前記接着部は、前記アクチュエータホルダのフォーカシング方向の中心と前記筐体側の端辺との間に設けられ、
前記筐体は、前記接着部と対向する位置に前記接着部と同じ高さまでフォーカシング方向に伸びた突出部を有し、
前記アクチュエータホルダの側壁は、タンジェンシャル方向に並んだフォーカシング方向の両側から交互に設けられた切欠きを有し、
前記切欠きは、前記対物レンズを挟んだタンジェンシャル方向の前記第一の軸受部側に配置された前記接着部と前記第二の軸受部側に配置された前記接着部との間に設けられており、
前記切欠きのうち前記第一の軸受部側の切欠きはディスク側が開放した切欠きで、前記第二の軸受部側の切欠きは前記筐体側が開放した切欠きであって、
前記切欠きの深さは、前記アクチュエータホルダのフォーカシング方向のディスク側の端辺から前記接着部までの距離よりも深いことを特徴とする光ピックアップ。
【請求項２】
半導体レーザから照射された出射光をディスクの記録面にある所定のトラック上に集光する対物レンズを、対物レンズン光軸方向であるフォーカシング方向とディスクの半径方向であるトラッキング方向に動かすための対物レンズアクチュエータを筐体に搭載し、
前記筐体は、ディスクの接線方向であるタンジェンシャル方向の両端に、筐体をトラッキング方向へ移動可能にするための第一と第二の軸受部を有し、
前記対物レンズアクチュエータは、前記対物レンズを保持する可動部と、前記可動部を複数のサスペンションワイヤを介して移動可能な状態で支持する固定部とを含み、前記固定部と一体に成形されて、前記可動部の四方を取り囲むように収容するアクチュエータホルダを有し、
前記アクチュエータホルダは、前記対物レンズを挟んだトラッキング方向の両側に側壁を有し、
前記アクチュエータホルダは、前記対物レンズを挟んだトラッキング方向の両側の、前記対物レンズに対してタンジェンシャル方向の第一の軸受部側と第二の軸受部側のそれぞれに接着部を有し、
前記アクチュエータホルダの線膨張係数が前記筐体の線膨張係数よりも大きい材料で構成された光ピックアップにおいて、
前記接着部は、前記アクチュエータホルダのフォーカシング方向の中心とディスク側の端辺との間に設けられ、
前記筐体は、前記接着部と対向する位置に前記接着部と同じ高さまでフォーカシング方向に伸びた突出部を有し、
前記アクチュエータホルダの側壁は、タンジェンシャル方向に並んだフォーカシング方向の両側から交互に設けられた切欠きを有し、
前記切欠きは、前記対物レンズを挟んだタンジェンシャル方向の前記第一の軸受部側に配置された    前記接着部と前記第二の軸受部側に配置された前記接着部との間に設けられており、
前記切欠きのうち前記第一の軸受部側の切欠きは前記筐体側が開放した切欠きで、前記第二の軸受部側の切欠きはディスク側が開放した切欠きであって、
前記切欠きの深さは、前記アクチュエータホルダのフォーカシング方向の前記筐体側の端辺から前記接着部までの距離よりも深いことを特徴とする光ピックアップ。
【請求項３】
請求項１に記載の光ピックアップにおいて、
前記切欠きの開口端の幅が前記切欠きの最深部の幅よりも広くなるように、タンジェンシャル方向に並んだ前記切欠きの間の側面のそれぞれを、フォーカシング方向に対して隣り合う切欠きの方向に傾けたことを特徴とする光ピックアップ。
【請求項４】
請求項１または請求項３に記載の光ピックアップにおいて、
フォーカシング方向に垂直な平面において、前記切欠きを設けた前記２つの側壁をトラッキング方向に対して傾けたことを特徴とする光ピックアップ。
【請求項５】
請求項２に記載の光ピックアップにおいて、
前記切欠きの開口端の幅が最深部の幅よりも広くなるように、タンジェンシャル方向に並んだ前記切欠きの間の側面のそれぞれを、フォーカシング方向に対して隣り合う切欠きの方向に傾けたことを特徴とする光ピックアップ。
【請求項６】
請求項２または請求項５の光ピックアップにおいて、
フォーカシング方向に垂直な平面において、前記切欠きを設けた前記２つの側壁をトラッキング方向に対して傾けたことを特徴とする光ピックアップ。
【請求項７】
半導体レーザと、該半導体レーザから照射された出射光を集光する対物レンズと、該対物レンズを所定方向へ動かすための対物レンズアクチュエータと、該対物レンズアクチュエータを搭載する筐体とを有し、
前記対物レンズアクチュエータは、前記対物レンズを保持する可動部と、前記可動部を複数のサスペンションワイヤを介して移動可能な状態で支持する固定部とを含み、前記固定部と一体に構成されて、前記可動部を取り囲むように収容するアクチュエータホルダを有し、
前記アクチュエータホルダは、前記対物レンズを挟んだトラッキング方向の両側に側壁を有し、
前記アクチュエータホルダは、前記対物レンズを挟んだトラッキング方向の両側それぞれに少なくとも二箇所の接着部を有し、
前記アクチュエータホルダの線膨張係数が前記筐体の線膨張係数と異なる材料で構成された光ピックアップであって、
前記アクチュエータホルダの側壁は、フォーカシング方向の両側から交互に設けられた切欠きを有し、
前記切欠きは、前記少なくとも二箇所の接着部の間に設けられており、
前記切欠きの深さは、前記アクチュエータホルダのフォーカシング方向のディスク側の端辺から前記接着部までの距離よりも深いことを特徴とする光ピックアップ。
【発明の詳細な説明】
【技術分野】
【０００１】
本発明は、光ピックアップに関し、例えば、ディスク状の情報記録媒体の記録面上に記録された情報を再生または情報の記録を行うディスク装置が備える光ピックアップに関する。
【背景技術】
【０００２】
環境温度の変化に伴う対物レンズアクチュエータの位置ずれと傾きを抑える背景技術として、特許文献１（特開２０１１―２０４３３３号公報）がある。この公報には、半導体レーザから出射された光束をディスクへ投光し、またディスクで反射した光束を受光素子へ集光して結像させる光学系を有する筐体と、光束をディスクに集光させるための対物レンズを移動可能に保持する対物レンズアクチュエータと、対物レンズアクチュエータと筐体とを接着剤により固定する複数の接着固定部とを有し、複数の接着固定部が、対物レンズの中心に対して、対物レンズの光軸方向に直交し互いに直交する２つの方向のそれぞれにおいて略対称に設けられた光ピックアップ装置が開示されている。
【０００３】
また、環境温度の変化に伴う接着剤のはく離を抑える背景技術として特許文献２（特開２００４―７１６４３号公報）がある。この公報には、直線部と折り返し部とが繰り返し形成されたジグザグ形状を有し、複数の折り返し部を電子部品に接合した電子部品用ヒートシンクが開示されている。
【先行技術文献】
【特許文献】
【０００４】
【特許文献１】特開２０１１―２０４３３３号公報（請求項１、図３）
【特許文献２】特開２００４―７１６４３号公報（請求項１、図３）
【発明の概要】
【発明が解決しようとする課題】
【０００５】
一般的な光ピックアップにおいて筐体とアクチュエータホルダの材料は異なり、アクチュエータホルダの線膨張係数の方が筐体の線膨張係数よりも大きいことが多い。このような光ピックアップに上記特許文献１の技術を適用した場合、環境温度が下がるとアクチュエータホルダの方が筐体よりも多く縮もうとする。この筐体とアクチュエータホルダの縮み量の差に起因する熱応力によって接着剤が伸ばされる。この伸びと界面に作用するせん断応力によって接着剤がはく離する可能性がある。
【０００６】
一方、上記特許文献２の技術を適用した光ピックアップでは、環境温度が下がると筐体とアクチュエータホルダの縮み量の差に起因する熱応力によって、アクチュエータホルダの折り返し部に曲げモーメントが作用し、直線部間がハの字に開いてアクチュエータホルダが伸びる。この結果、筐体とアクチュエータホルダの見かけの伸縮量の差が小さくなって、接着剤に作用する応力は低減される。しかし、このときアクチュエータホルダは反る。この反りによって対物レンズの光軸がレーザ光の光軸に対して相対的にずれて、ディスク上のレーザ光のスポットが歪み、安定した記録・再生動作を阻害する可能性がある。
【０００７】
本発明は、環境温度が変化したときに、部品間の熱膨張量の差に起因する熱応力によって接着剤がはく離したり、光学部品が傾いたりするのを抑えて、安定した記録・再生動作が可能な光ピックアップを提供することを目的とする。
【課題を解決するための手段】
【０００８】
上記課題を解決するために、例えば特許請求の範囲に記載の構成を採用する。本願は上記課題を解決する手段を複数含んでいるが、その一例を挙げるならば、光ピックアップにおいて、アクチュエータホルダの、対物レンズを挟んでトラッキング方向の両側に配置された側壁の、複数の接着部のうちタンジェンシャル方向に並んだ接着部の間に、フォーカシング方向の両側から互い違いの切欠きを複数個設けた構造を特徴とする。
【発明の効果】
【０００９】
本発明によれば、アクチュエータホルダと筐体とのタンジェンシャル方向における見かけの熱膨張量の差を側壁の伸縮によって小さくできると同時に、アクチュエータホルダの反りを抑えることができる。これにより、アクチュエータホルダと筐体を接合する接着剤に作用する熱応力を低減して接着剤のはく離を防止できる。併せて、固定部の傾きを低減できる。したがって、固定部で支持される対物レンズの傾きを低減できる。以上のように、本発明は、環境温度の変化に伴うアクチュエータホルダと筐体を接合する接着剤のはく離や、アクチュエータホルダおよび筐体の反りによる光学部品の位置ずれや傾きを防止して、安定した記録・再生動作が可能な光ピックアップを提供できる。
【図面の簡単な説明】
【００１０】
【図１】本発明の一実施例を示す光ピックアップの斜視図。
【図２】本発明の一実施例を示す対物レンズアクチュエータの斜視図。
【図３】本発明の一実施例を示す光ピックアップの側面図。
【図４】本発明の一実施例を示す対物レンズアクチュエータの側面図。
【図５】本発明の一実施例の光ピックアップの低温環境下での変形図。
【図６】本発明の一実施例を示す対物レンズアクチュエータの側面図。
【図７】本発明の一実施例を示す対物レンズアクチュエータの斜視図。
【図８】比較例１の光ピックアップの低温環境下での変形図。
【図９】比較例２の光ピックアップの低温環境下での変形図。
【図１０】本発明の一実施例を示す光ピックアップの側面図。
【発明を実施するための形態】
【００１１】
以下、図面を参照して本発明を実施するための形態について説明する。なお、同一の符号を付された構成は、同一の機能を有するので、既に当該符号の説明されている場合それらの説明は省略することがある。
【００１２】
なお、実施例において、θは、フォーカシング方向に垂直な平面上で、切欠きを設けた側壁とトラッキング方向とのなす角度を示す。ψは、トラッキング方向に垂直な平面上で、切欠きの側面とフォーカシング方向とのなす角度を示す。Ｈは、アクチュエータホルダのフォーカシング方向の高さを示す。Ｄ１、Ｄ２およびＤ１’、Ｄ２’は、それぞれ、切欠きの深さを示す。Ｌは、アクチュエータホルダのディスク側端辺である上端辺から接着部中央までの距離を示し、Ｌ’は、アクチュエータホルダの筐体側端辺である下端辺から接着部中央までの距離を示す。Ｆｔは、環境温度が変化した時にアクチュエータホルダの接着部に作用する力のタンジェンシャル方向成分を示す。Ｆｒｏｎｔは、「前」を示す。Ｒｅａｒは、「後」を示す。Ｕｐは、「上」を示す。Ｄｏｗｎは、「下」を示す。Ｌｅｆｔは、「左」を示す。Ｒｉｇｈｔは、「右」を示す。
【実施例１】
【００１３】
図１乃至図３を用いて、実施例１の構成を説明する。図１は本発明の一実施例を示す光ピックアップ１の斜視図である。図２は本発明の一実施例の対物レンズアクチュエータ４の斜視図である。また、図３は本発明の一実施例を示す光ピックアップ１の側面図である。図1において、対物レンズ８が、図示されていないディスク側へ近づく方向を上（Ｕｐ）、筐体側へ近づく方向を下（Ｄｏｗｎ）と定義する。この上下方向がフォーカシング方向である。また、図中に右（Ｒｉｇｈｔ）、左（Ｌｅｆｔ）と記した方向がトラッキング方向となり、前（Ｆｒｏｎｔ）、後（Ｒｅａｒ）と記した方向がタンジェンシャル方向となる。
【００１４】
光ピックアップ１は、ディスク上に情報を記録または再生する装置で、主に対物レンズアクチュエータ４と光学系と回路基板５の３つの要素から構成される。光学系は、光源となる半導体レーザ２と、半導体レーザ２からの出射光をディスクの記録面上に絞り込んだり制御用の誤差信号を生成・検出したりするための光学部品と、ディスクからの反射光の変化を電気信号に変換する光検出器３などから構成される。
【００１５】
対物レンズアクチュエータ４は、対物レンズ８を保持する可動部４１をフォーカシング方向とトラッキング方向に駆動して対物レンズ８の焦点をディスクのトラック上に合わせる機構である。回路基板５は、対物レンズアクチュエータ４や光学系を外部のコントローラと電気的に接続するための基板である。これらの部品は筐体６に接合されている。このうち、対物レンズアクチュエータ４と筐体６との接合は、対物レンズアクチュエータ４の土台であるアクチュエータホルダ９の四隅近傍に接着剤７を塗布して行われる。
【００１６】
本実施例の特徴について説明する。アクチュエータホルダ９は、対物レンズ８を保持する可動部４１を複数のサスペンションワイヤを介して移動可能な状態で支持する固定部９１と、固定部９１と一体に成形されて、可動部４１の四方を取り囲む壁を有する。
【００１７】
本実施例の第一の特徴は、アクチュエータホルダ９の上下方向の中心と下端辺の間に接着剤７を塗布する箇所である接着部７ａ、７ｂ、７ｃ、７ｄを設けたことである。すなわち、図３でアクチュエータホルダ９の高さをＨとすると、アクチュエータホルダ９の上端辺から接着剤７を塗布する箇所である接着部７ａ、７ｂ、７ｃ、７ｄの中心までの距離Ｌがアクチュエータホルダ９の上端辺からアクチュエータホルダ９の中心までの距離Ｈ／２よりも大きいことである。これらの接着部を前方右側の接着部７ａ、前方左側の接着部７ｃ、後方右側の接着部７ｂ、および後方左側の接着部７ｄと定義して区別する。
【００１８】
本実施例の第二の特徴は、接着部７ａ、７ｂ、７ｃ、７ｄと対向する位置に接着部７ａ、７ｂ、７ｃ、７ｄと同じ高さまで上方向に伸びた突出部６ａ、６ｂ、６ｃ、６ｄを、筐体６に設けたことである。
【００１９】
本実施例の第三の特徴は、アクチュエータホルダ９の側壁９２、９３において、前後方向に並んで上下方向から交互に切欠いた切欠き９２１、９２２、９３１、９３２を設けたことである。
【００２０】
本実施例の第四の特徴は、切欠き９２１、９２２が、アクチュエータホルダ９の側壁９２の、第一の軸受部６１側に配置された接着部７ｂと第二の軸受部６２側に配置された接着部７ａの間にあり、同様に、切欠き９３１、９３２が、アクチュエータホルダ９の側壁９３の、第一の軸受部６１側に配置された接着部７ｄと第二の軸受部６２側に配置された接着部７ｃの間にあることである。
【００２１】
本実施例の第五の特徴は、第一の軸受部６１側の切欠き９２１、９３１が、上側が開放された切欠きあり、第二の軸受部側の切欠き９２２、９３２が、下側が開放された切欠きであることである。
【００２２】
そして本実施例の第六の特徴は、切欠き９２１、９３１の深さＤ１と、切欠き９２２、９３２の深さＤ２を、アクチュエータホルダ９の上下方向の上端辺から    接着部７ａ、７ｂ、７ｃ、７ｄまでの距離Ｌよりも深くしたことである。
【００２３】
本実施例の効果について、図４、図５と図８、図９を用いて述べる。図４は本発明の一実施例を示す対物レンズアクチュエータの側面図である。図５は本発明の一実施例を示す光ピックアップ１の低温環境下での変形図を示す。そして図８は比較例１の（例えば、特許文献１の技術を適用した）光ピックアップの低温環境下での変形図を示し、図９は比較例２の（例えば、特許文献２の技術を適用した）光ピックアップの低温環境下での変形図を示す。
【００２４】
前述したとおり、一般的な光ピックアップにおいて筐体とアクチュエータホルダの材料は異なり、アクチュエータホルダの線膨張係数の方が筐体の線膨張係数よりも大きいことが多い。このような光ピックアップ１の環境温度が変化すると、特に低温環境下においては、アクチュエータホルダ９が筐体６よりも多く縮もうとするため、アクチュエータホルダ９と筐体６との間を接合している接着剤７には引張りの熱応力が作用する。これらをアクチュエータホルダ９の接着部ごとの接着面にわたって積分した力のうち前後方向成分を図４中にＦｔで記す。
【００２５】
比較例１の光ピックアップでは、筐体６とアクチュエータホルダ９の縮み量の差に起因する熱応力によって接着剤７が図８のように伸ばされる。この伸びと界面に作用するせん断応力によって接着剤７がはく離する可能性がある。
【００２６】
また、比較例２の光ピックアップでは、筐体６とアクチュエータホルダ９の縮み量の差に起因する熱応力によって、アクチュエータホルダ９の折り返し部に曲げモーメントが作用し、直線部間がハの字に開いてアクチュエータホルダ９が伸びる。このアクチュエータホルダ９の伸びによって、筐体６とアクチュエータホルダ９の見かけの伸縮量の差が小さくなるので、接着剤７に作用する応力を低減できる。しかし、このときアクチュエータホルダ９は図９のように下に凸に反る。この反りによってアクチュエータホルダ９の後端部にアクチュエータホルダ９と一体に形成された固定部９１が傾く。その結果、固定部９１で支持される対物レンズの光軸がレーザ光の光軸に対して相対的にずれて、ディスク上のレーザ光のスポットが歪み、安定した記録・再生動作を阻害する可能性がある。
【００２７】
これに対して、本実施例では、図４に示すように、力Ｆｔの作用点は切欠き９２１の最深部から上方向にＤ１-Ｌ離れた位置にあり、また切欠き９２２の最深部から下方向にＤ２-Ｈ+Ｌ離れた位置にある。このため、切欠き９２１、９２２の最深部に曲げモーメントが作用して、図５のように切欠き９２１、９２２が開く。このように、アクチュエータホルダ９の側壁９２、９３が伸びることによって、アクチュエータホルダ９と筐体６の熱膨張量の差を小さくできる。したがって、アクチュエータホルダ９と筐体６を接合する接着剤７に作用する熱応力を低減できる。
【００２８】
さらに、このとき、上側が開放した切欠き９２１はアクチュエータホルダ９を上に凸に反らせる方向に開こうとするのに対して、下側が開放した切欠き９２２はアクチュエータホルダ９を下に凸に反らせる方向に開こうとする。これらが打ち消しあって、アクチュエータホルダ９の反りが抑えられる。側壁９３も同様である。このように、アクチュエータホルダ９と筐体６との前後方向における見かけの熱膨張量の差を、アクチュエータホルダ９の反りを抑えながら、側壁９２の伸縮によって小さくできる。したがって、アクチュエータホルダ９と筐体６を接合している接着剤７に作用する熱応力を低減して接着剤７のはく離を防止できると同時に、アクチュエータホルダ９の反りが抑えられるのでその後端部に位置する固定部９１の傾きも低減できる。つまり、固定部９１で支持される対物レンズ８の傾きも低減できる。
【００２９】
加えて、図４のように、切欠き９２１の最深部から力Ｆｔの作用点までの上下方向の距離Ｄ１-Ｌは、切欠き９２２の最深部から力Ｆｔの作用点までの上下方向の距離Ｄ２-Ｈ+Ｌよりも小さい。これにより、第二の軸受６２側、つまり固定部９１から遠い側の切欠き９２２の最深部には大きな曲げモーメントを作用させてアクチュエータホルダ９の伸縮量を維持しながら、その一方で、第一の軸受６１側、つまり固定部９１に近い側の切欠き９２１に作用する曲げモーメントを小さくして切欠き９２１の開きを抑えることができる。その結果、アクチュエータホルダ９の特に固定部９１側の傾きをより低減できる。つまり、固定部９１で支持される対物レンズ８の傾きも低減できる。
【００３０】
以上のように、本実施例によれば、環境温度の変化に伴うアクチュエータホルダ９と筐体６を接合する接着剤７のはく離や、アクチュエータホルダ９および筐体６の反りによる光学部品の位置ずれや傾きを防止して、安定した記録・再生動作が可能な光ピックアップ１を提供できる。
【００３１】
本実施例では、第一の特徴としてアクチュエータホルダ９の上下方向の中心と下端辺の間に接着部７ａ、７ｂ、７ｃ、７ｄを設けたが、図１０のように筐体６の突出部６ａ、６ｂ、６ｃ、６ｄの上下方向の高さをさらに伸ばして、アクチュエータホルダ９の上下方向の中心と上端辺の間に接着部７ａ、７ｂ、７ｃ、７ｄを設けてもよい。この場合、第三の特徴のうち、切欠き９２１、９２２、９３１、９３２の深さＤ１’、Ｄ２’をアクチュエータホルダ９の下側の端辺から接着部７ａ、７ｂ、７ｃ、７ｄまでの距離Ｌ’よりも深くして、さらに第四の特徴のうち、切欠き９２１、９２２、９３１、９３２のうち固定部９１側の切欠き９２１、９３１は下側が開放した切欠きとし、他方の切欠き９２２、９３２は上側が開放した切欠きとすることで同様の効果が得られる。
【実施例２】
【００３２】
図６は、本発明の第２の実施例を示す対物レンズアクチュエータ４の側面図である。本実施例においては、切欠き９２１、９２２、９３１、９３２の開口端の幅が最深部の幅よりも広くなるように、前後方向に並んだ切欠き９２１、９２２と、切欠き９３１、９３２の間の側面を、隣り合う切欠きの方向に傾けたことを特徴とする。すなわち、切欠き９２１、９２２と、切欠き９３１、９３２の間の側面を、左右方向に垂直な平面において、前方上側から後方下側へ向けて上下方向からψだけ傾けてある。本実施例のその他の構成は、実施例１と同様な構成となっているため、詳細な説明は省略する。
【００３３】
本実施例では、切欠き９２１、９２２の間と、切欠き９３１、９３２の間の梁に作用する曲げ荷重が１−ＣＯＳψだけ低減されるので、アクチュエータホルダ９の反りをさらに抑えられ、固定部９１の傾き、したがって固定部９１で支持されている対物レンズ８の傾きを小さくできる。これにより、アクチュエータホルダ９と筐体６を接合する接着剤７のはく離を防止しつつ、対物レンズ８の傾きをより一層抑えることができる。
【実施例３】
【００３４】
図７は、本発明の第３の実施例を示す対物レンズアクチュエータ４の斜視図である。本実施例においては、切欠きを設けた２つの側壁９４、９５を左右方向と前後方向の両方向に対して鋭角または鈍角に傾けたことを特徴とする。すなわち、側壁９４を、上下方向に垂直な平面において前方左側から後方右側へ向けて左右方向からθだけ傾け、側壁９５を、上下方向に垂直な平面において前方右側から後方左側へ向けて左右方向からθだけ傾けている。本実施例のその他の構成は、実施例１と同様な構成となっているため、詳細な説明は省略する。
【００３５】
本実施例においても、環境温度が変化すると、アクチュエータホルダ９と筐体６との熱膨張量の差によって切欠き９４１、９４２、９５１、９５２が開閉する。このとき、切欠き９４１、９４２、９５１、９５２を設けた側壁９４、９５は左右方向からθだけ傾いた方向に伸縮する。すなわち、左右方向と前後方向の両方向に伸縮する。ゆえに、本実施例では、前後方向に加えて左右方向においてもアクチュエータホルダ９と筐体６との見かけの熱膨張量の差を、アクチュエータホルダ９の側壁９４、９５の伸縮によって小さくできる。これにより、前後方向に加えて左右方向においてもアクチュエータホルダ９と筐体６を接合する接着剤７に作用する熱応力を低減できる。したがって、アクチュエータホルダ９と筐体６を接合する接着剤７のはく離や、前後方向と左右方向におけるアクチュエータホルダ９および筐体６の反りによる光学部品の位置ずれや傾きを抑えられる。
【００３６】
更に変形例として、前後方向と左右方向の両方のアクチュエータホルダ９と筐体６との見かけの熱膨張量の差を小さくするためには、前後方向と左右方向に沿った２組４つの壁それぞれに切欠きを設けることも考えられる。
【００３７】
この変形例の場合に比べて、本実施例では切欠きを２つの壁に限って設けているため、アクチュエータホルダ９の剛性の低下が抑えられる。したがって、本実施例は、振動特性や耐衝撃性の劣化を伴うことなく、より安定した記録・再生動作が可能な光ピックアップ１を提供できる。
【００３８】
更に、以上の実施例において、切欠きの形状は種々変更可能である。例えば、切欠きの底の形状は、上記実施例では二つの角部と一つの平面を有しているが、種々変更可能であり、側方からみて底ｒ形状を有する場合もある。この場合は、角部など応力の集中する箇所を分散できるという効果がある。
【００３９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。 
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。 
また、制御線や情報線は説明上必要と考えられるものを示しており、製品上必ずしも全ての制御線や情報線を示しているとは限らない。実際には殆ど全ての構成が相互に接続されていると考えてもよい。 
【符号の説明】
【００４０】
１            光ピックアップ
２            半導体レーザ
３            光検出器
４            対物レンズアクチュエータ
５            回路基板
６            筐体
７            接着剤
８            対物レンズ
９            アクチュエータホルダ
４１            可動部
６１            第一の軸受部
６２            第二の軸受部
７ａ、７ｂ、７ｃ、７ｄ 接着部
９１            固定部
９２、９３ 側壁
９４、９５ 側壁
９２１、９２２、９３１、９３２ 切欠き
９４１、９４２、９５１、９５２ 切欠き
【図１】
2014164790.tif 000003
【図２】
2014164790.tif 000004
【図３】
2014164790.tif 000005
【図４】
2014164790.tif 000006
【図５】
2014164790.tif 000007
【図６】
2014164790.tif 000008
【図７】
2014164790.tif 000009
【図８】
2014164790.tif 000010
【図９】
2014164790.tif 000011
【図１０】
2014164790.tif 000012